【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
容器であって、
前記容器の第１の端部から前記容器の第２の端部まで寸法が増大するテーパ部分を含む側壁と、
前記容器の前記第１の端部に配置された端部層であって、開口部を有さないシートによって画定され、前記容器の空洞を前記側壁と画定し、前記容器の前記第２の端部が、開口部を画定する前記端部層と、
前記容器の前記空洞内に配置された固体凍結液体内容物と、
前記容器を封止する前記容器の前記開口部上に形成された穿孔可能な閉鎖部と
を含む前記容器であり、それにおいて、
前記固体凍結液体内容物、前記側壁の少なくとも一部、及び前記穿孔可能な閉鎖部の少なくとも一部が、固体凍結液体内容物を欠いている前記容器の空の空間を画定し、
前記容器が、分配装置へ挿入するように構成され、
前記容器の前記端部層が、前記分配装置内に配置された針によって穿孔可能であり、
前記固体凍結液体内容物が、前記空洞内の第１の位置及び第２の位置を有し、前記第１の位置では、前記固体凍結液体内容物が、実質的に前記容器の前記端部層全体に一致し、前記第２の位置では、前記固体凍結液体内容物が前記容器の前記端部層から離れて前記空の空間に移され、さらに前記第２の位置では前記空の空間の少なくとも一部が前記固体凍結液体内容物によって占められていないままである、
前記容器。
【請求項２】
前記固体凍結液体内容物の鮮度及び芳香を保存するように構成されたガス不浸透性材料を含む、請求項１に記載の容器。
【請求項３】
前記固体凍結液体内容物が、
凍結コーヒーエキス、
凍結茶エキス、
凍結レモネード濃縮物、
凍結野菜濃縮物、
凍結ブロス、
凍結した液体乳製品、
凍結したアルコール系製品、
凍結濃縮スープ、
凍結シロップ、
凍結果実濃縮物、
ビタミンウォーター、及び
栄養補助食品の混合物
の少なくとも１つを含む、請求項１に記載の容器。
【請求項４】
フィルタレスである、請求項１に記載の容器。
【請求項５】
前記端部層が、双安定ドームまたは１回変形可能なドームを備え、前記ドームが部分的に球形を有しており、さらに前記ドームが前記固体凍結液体内容物が前記空洞内の前記第１の位置にあるとき、前記空洞から離れるように延びる第１の安定した向きを有し、前記ドームが前記固体凍結液体内容物が前記空洞内の前記第２の位置にあるとき、前記空洞内に延びる第２の安定した向きを有する請求項１に記載の容器。
【請求項６】
前記第１の位置にあるときの前記固体凍結液体内容物は、前記空の空間下方の前記側壁の前記実質的にテーパ部分全体と前記容器の前記端部層とに一致し、
前記固体凍結液体内容物が、前記針によって前記空の空間に移動されるよう大きさを決められ、前記第２の位置にあるときに、前記固体凍結液体内容物を取り囲む隙間を作り、前記空洞の前記第２の端部から、前記固体凍結液体内容物の周り、及び前記空洞の前記第１の端部に流路を作り出す、
請求項１に記載の容器。
【請求項７】
前記側壁の前記テーパ部分の少なくとも一部分及び前記端部層にある前記空洞の内側にコーティングをさらに備え、前記コーティングは、コーティングされていない側壁に対する前記容器への前記固体凍結液体内容物の接着を低減する、請求項１に記載の容器。
【請求項８】
前記空の空間が、前記容器が前記分配装置に配置されたときに、前記閉鎖部が前記分配装置内に配置された第２の針によって穿孔可能であり、前記固体凍結液体内容物が、前記第２の位置へと前記空の空間内に、前記端部層を穿孔する前記針によって移動させることができるように十分に寸法が決められている、請求項１に記載の容器。
【請求項９】
前記容器がアルミニウムを含む、請求項１に記載の容器。
【請求項１０】
前記空いた空間が、大気の代わりに不活性ガスと還元反応ガスの少なくとも一方を含む、請求項１に記載の容器。
【請求項１１】
前記側壁、前記端部層、及び前記穿孔可能な閉鎖部が、単一のチャンバを画定する、請求項１０に記載の容器。
【請求項１２】
凍結液体内容物を収容する容器から融解液体生成物を製造する方法であって、
凍結液体内容物を収容する容器を準備することであって、前記容器は前記容器の端部に配置された端部層を有し、前記凍結液体内容物が前記容器の実質的に端部層全体と接触しており、前記凍結液体内容物及び容器が、凍結液体内容物を含まない前記容器内の空隙領域を画定する準備することと、
前記凍結液体内容物を収容する前記容器をディスペンサのチャンバ内に配置することと、
第１の針で前記容器の前記端部層を穿孔することと、
前記凍結液体内容物を前記端部層から移動させ、前記凍結液体内容物を前記空隙領域内に移すことと、
前記ディスペンサに前記容器内の前記凍結液体内容物を融解させて、融解液体生成物を生成させることと、
前記容器から前記融解液体生成物をとらえること、
というステップを含む、前記方法。
【請求項１３】
前記容器がフィルタレスである、請求項１２に記載の方法。
【請求項１４】
前記凍結液体内容物を前記ディスペンサに融解させることは、前記ディスペンサが前記凍結液体内容物を、（ａ）前記容器の外面に熱を加えること、（ｂ）前記容器の内部空間に希釈液を加えることの少なくとも１つを経て融解するプロセスを開始することを含む、請求項１２に記載の方法。
【請求項１５】
前記ディスペンサが前記容器に熱を供給することは、前記容器をヒータに接触させて配置することを含む、請求項１４に記載の方法。
【請求項１６】
前記ディスペンサが前記容器に熱を供給することが、前記容器の外面に対して加熱されたガス及び蒸気の少なくとも１つが前記ディスペンサに当たることを含む、請求項１４に記載の方法。
【請求項１７】
前記容器を準備することは、前記容器が前記容器の前記凍結液体内容物の特徴を識別する情報を有することを含む、請求項１４に記載の方法。
【請求項１８】
前記凍結液体内容物の特徴を識別する前記情報が、前記容器の外面上の光学コードを含む、請求項１７に記載の方法。
【請求項１９】
前記融解液体生成物用の所望の温度設定点を提供することと、
前記融解液体生成物用の所望の分配量を提供することと、
前記ディスペンサに前記容器の外面に選択的に熱を加えさせ、前記識別された特徴、前記融解液体生成物用の前記所望の温度設定点、及び前記所望の分配量に基づいて前記容器の内部に前記希釈液を選択的に加えさせることと
をさらに含む、請求項１７に記載の方法。
【請求項２０】
前記凍結液体内容物の前記特徴が希釈閾値を含む、請求項１９に記載の方法。
【請求項２１】
前記凍結液体内容物の前記特徴が温度閾値を含む、請求項１９に記載の方法。
【請求項２２】
前記ディスペンサに前記凍結液体内容物を融解させることは、前記ディスペンサが前記容器に運動を適用して前記凍結液体内容物の融解速度を加速するプロセスを開始することを含む、請求項１２に記載の方法。
【請求項２３】
前記運動が回転、往復または振動の少なくとも１つである、請求項２２に記載の方法。
【請求項２４】
凍結液体内容物を収容する容器から融解液体生成物を作り出す方法であって、
ディスペンサのチャンバで凍結液体内容物を収容する容器を受け入れることであって、前記容器が前記容器の端部に配置された端部層を有し、前記凍結液体内容物が前記容器の実質的に端部層全体と接触し、前記凍結液体内容物及び容器が凍結液体内容物を含まない前記容器内の空隙領域を画定する前記受け入れることと、
前記ディスペンサが第１の針で前記容器の前記端部層を穿孔することと、
前記凍結液体内容物を前記端部層から移動させ、前記凍結液体内容物を前記空隙領域内に移すことと、
前記ディスペンサが、前記容器内の前記凍結液体内容物を融解して融解液体生成物を作り出すことと、
前記ディスペンサが、前記融解液体生成物を前記容器から分配すること
というステップを含む、前記方法。
【請求項２５】
前記凍結液体内容物は、前記融解液体生成物を前記分配する前に完全に融解される、請求項２４に記載の方法。
【請求項２６】
前記容器がフィルタレスである、請求項２４に記載の方法。
【請求項２７】
前記ディスペンサが前記凍結液体内容物を融解することが、前記凍結液体内容物を電子的な周波数エネルギーで照射することを含む、請求項２４に記載の方法。
【請求項２８】
前記ディスペンサが前記凍結液体内容物を融解させることは、（ａ）前記容器の外面に熱を加えること、及び（ｂ）前記容器の内部空間に希釈液を加えることの少なくとも１つを経て前記ディスペンサが前記凍結液体内容物を融解することを含む、請求項２４に記載の方法。
【請求項２９】
前記ディスペンサが前記容器に熱を供給することが、前記容器の外面に対して加熱されたガス及び蒸気の少なくとも１つが前記ディスペンサに当たることを含む、請求項２８に記載の方法。
【請求項３０】
前記ディスペンサが前記容器の前記凍結液体内容物の前記特徴を前記識別すること、
前記ディスペンサが、前記融解液体生成物用の所望の温度設定点を受け取ること、
前記ディスペンサが、前記融解液体生成物用の所望の分配量を受け取ること、及び
前記ディスペンサが、前記容器の外面に選択的に熱を加え、前記識別された特徴、前記融解液体生成物用の前記所望の温度設定点、及び前記所望の分配量に基づいて前記容器の内部に前記希釈液を選択的に加えさせること
をさらに含む請求項２８に記載の方法。
【請求項３１】
前記凍結液体内容物の前記特徴が、希釈閾値を含み、前記ディスペンサが前記希釈液を前記容器の内部に選択的に前記加えさせることが、前記希釈閾値にさらに基づいている、請求項３０に記載の方法。
【請求項３２】
前記凍結液体内容物を前記融解することが、前記凍結液体内容物の融解速度を加速させるために前記ディスペンサが前記容器に運動を適用することを含む、請求項２４に記載の方法。
【請求項３３】
容器であって、
前記容器の第１の端部から前記容器の第２の端部まで寸法が増大するテーパ部分を含む側壁と、
前記容器の前記第１の端部に配置された端部層であって、開口部を有さないシートによって画定され、前記容器の空洞を前記側壁と画定し、前記容器の前記第２の端部が、開口部を画定する前記端部層と、
前記容器の前記空洞内に配置された固体凍結液体内容物と、
前記容器を封止する前記容器の前記開口部上に形成された穿孔可能な閉鎖部と
を含む前記容器であり、それにおいて、
前記固体凍結液体内容物、前記側壁の少なくとも一部、及び前記穿孔可能な閉鎖部の少なくとも一部が、固体凍結液体内容物を欠いている前記容器の空の空間を画定し、
前記容器が、分配装置へ挿入するように構成され、
前記容器の前記端部層が、前記分配装置内に配置された針によって穿孔可能であり、
前記固体凍結液体内容物が、前記空洞内の第１の位置及び第２の位置を有し、前記第１の位置では、前記固体凍結液体内容物が、前記容器の前記端部層に近接し、前記第２の位置では、前記固体凍結液体内容物が前記容器の前記端部層から離れて前記空の空間に移動され、さらに前記第２の位置では前記空の空間の少なくとも一部が前記固体凍結液体内容物によって占められていないままである、
前記容器。
【請求項３４】
前記固体凍結液体内容物が、約０°Ｆ〜約３２°Ｆの温度で十分に硬質であり、前記分配装置の前記針によって加えられた力が、前記固体凍結液体内容物を前記第１の位置から前記第２の位置に移動する、請求項３３に記載の容器。 
【手続補正２】
【補正対象書類名】明細書
【補正対象項目名】００５４
【補正方法】変更
【補正の内容】
【００５４】
したがって、以下の詳細な説明をよりよく理解できるように、開示された主題の特徴を広義で概説し、本明細書に開示された装置及び技術によってなされた当技術分野への現在の貢献よりも高く評価される可能性もある。当然のことながら、以下に説明する開示された装置及び技術にはさらなる特徴がある。本明細書で使用される表現及び用語は、説明のためのものであり、限定的であるとみなすべきではないことを理解されたい。さらに、上記の態様及び実施形態のいずれかは、他の態様及び実施形態のいずれかと組み合わされ、本発明の範囲内にとどまることが可能である。
（発明の開示）
（項目１）
容器であって、
前記容器の第１の端部から前記容器の第２の端部まで寸法が増大するテーパ部分を含む側壁と、
前記容器の前記第１の端部に配置された端部層であって、開口部を有さないシートによって画定され、前記容器の空洞を前記側壁と画定し、前記容器の前記第２の端部が、開口部を画定する前記端部層と、
前記容器の前記空洞内に配置された固体凍結液体内容物と、
前記容器を封止する前記容器の前記開口部上に形成された穿孔可能な閉鎖部と
を含む前記容器であり、それにおいて、
前記固体凍結液体内容物、前記側壁の少なくとも一部、及び前記穿孔可能な閉鎖部の少なくとも一部が、固体凍結液体内容物を欠いている前記容器の空の空間を画定し、
前記容器が、分配装置へ挿入するように構成され、
前記容器の前記端部層が、前記分配装置内に配置された針によって穿孔可能であり、
前記固体凍結液体内容物が、前記空洞内の第１の位置及び第２の位置を有し、前記第１の位置では、前記固体凍結液体内容物が、実質的に前記容器の前記端部層全体に一致し、前記第２の位置では、前記固体凍結液体内容物が前記容器の前記端部層から離れて前記空の空間に移され、さらに前記第２の位置では前記空の空間の少なくとも一部が前記固体凍結液体内容物によって占められていないままである、
前記容器。
（項目２）
前記固体凍結液体内容物の鮮度及び芳香を保存するように構成されたガス不浸透性材料を含む、項目１に記載の容器。
（項目３）
前記容器及び前記閉鎖部がそれぞれ、前記容器及び前記閉鎖部がリサイクルできるように、リサイクル可能な材料を含む、項目１に記載の容器。
（項目４）
前記固体凍結液体内容物が、
凍結コーヒーエキス、
凍結茶エキス、
凍結レモネード濃縮物、
凍結野菜濃縮物、
凍結ブロス、
凍結した液体乳製品、
凍結したアルコール系製品、
凍結濃縮スープ、
凍結シロップ、
凍結果実濃縮物、
ビタミンウォーター、及び
栄養補助食品の混合物
の少なくとも１つを含む、項目１に記載の容器。
（項目５）
前記装置に挿入する前に穿孔することができる、
前記装置内に存在している間に穿孔することができる、
または両方であるように構成される、項目１に記載の容器。
（項目６）
フィルタレスである、項目１に記載の容器。
（項目７）
前記固体凍結液体内容物及び前記容器が、一部制御された構成で提供される、項目１に記載の容器。
（項目８）
前記一部制御された構成がシングル・サーブの大きさのフォーマットを含む、項目７に記載の容器。
（項目９）
前記一部制御された構成が、単一または複数の液体の注入から複数杯分を作り出すための一括供給サイズのフォーマットを含む、項目７に記載の容器。
（項目１０）
加熱された液体を前記穿孔された容器を通して受け入れ、前記固体凍結液体内容物の液化及び希釈を促進するように構成される、項目１に記載の容器。
（項目１１）
前記容器が、前記容器内の前記固体凍結液体内容物の融解を促進するために熱を受けるように構成されている、項目１に記載の容器。
（項目１２）
前記端部層が、双安定ドームまたは１回変形可能なドームを備え、前記ドームが部分的に球形を有する、項目１に記載の容器。
（項目１３）
前記ドームが前記固体凍結液体内容物が前記空洞内の前記第１の位置にあるとき、前記空洞から離れるように延びる第１の安定した向きを有し、前記ドームが前記固体凍結液体内容物が前記空洞内の前記第２の位置にあるとき、前記空洞内に延びる第２の安定した向きを有する項目１２に記載の容器。
（項目１４）
前記第１の位置にあるときの前記固体凍結液体内容物は、前記空の空間下方の前記側壁の前記実質的にテーパ部分全体と前記容器の前記端部層とに一致し、
前記固体凍結液体内容物が、前記針によって前記空の空間に移動されるよう大きさを決められ、前記第２の位置にあるときに、前記固体凍結液体内容物を取り囲む隙間を作り、前記空洞の前記第２の端部から、前記固体凍結液体内容物の周り、及び前記空洞の前記第１の端部に流路を作り出す、
項目１に記載の容器。
（項目１５）
前記側壁の前記テーパ部分と、前記容器の前記開口部上に形成された前記閉鎖部と、前記容器の前記端部層とを含む前記容器が、ガス不浸透性容器を形成する、項目１に記載の容器。
（項目１６）
前記容器の前記第２の端部における前記側壁の一部と前記閉鎖部とが、ヒートシールによって接合されている、項目１５に記載の容器。
（項目１７）
前記容器の前記第２の端部における前記側壁の一部と前記閉鎖部とが、クリンピングによって接合されている、項目１５に記載の容器。
（項目１８）
前記容器の前記第２の端部における前記側壁の一部と前記閉鎖部とが、接着剤を介して接合されている、項目１５に記載の容器。
（項目１９）
前記容器の前記第２の端部における前記側壁の一部と前記閉鎖部とが、音波溶接によって接合される、項目１５に記載の容器。
（項目２０）
前記側壁の前記テーパ部分の少なくとも一部分及び前記端部層にある前記空洞の内側にコーティングをさらに備え、前記コーティングは、コーティングされていない側壁に対する前記容器への前記固体凍結液体内容物の接着を低減する、項目１に記載の容器。
（項目２１）
前記固体凍結液体内容物が、凍結液体エキスと凍結液体濃縮物の少なくとも１つを含む、項目１に記載の容器。
（項目２２）
前記固体凍結液体内容物が栄養素を含む、項目２１に記載の容器。
（項目２３）
前記空の空間が、前記容器が前記分配装置に配置されたときに、前記閉鎖部が前記分配装置内に配置された第２の針によって穿孔可能であり、前記固体凍結液体内容物が、前記第２の位置へと前記空の空間内に、前記端部層を穿孔する前記針によって移動させることができるように十分に寸法が決められている、項目１に記載の容器。
（項目２４）
前記第２の端部によって画定される前記開口部がフランジ付き開口部である、項目１に記載の容器。
（項目２５）
前記容器がアルミニウムを含む、項目１に記載の容器。
（項目２６）
前記側壁及び前記端部層が連続層である、項目１に記載の容器。
（項目２７）
前記空いた空間が、大気の代わりに不活性ガスと還元反応ガスの少なくとも一方を含む、項目１に記載の容器。
（項目２８）
フィルタレスである、項目２７に記載の容器。
（項目２９）
前記側壁、前記端部層、及び前記穿孔可能な閉鎖部が、単一のチャンバを画定する、項目２７に記載の容器。
（項目３０）
アルミニウムを含む、項目２７に記載の容器。
（項目３１）
凍結液体内容物を収容する容器から融解液体生成物を製造する方法であって、
凍結液体内容物を収容する容器を準備することであって、前記容器は前記容器の端部に配置された端部層を有し、前記凍結液体内容物が前記容器の実質的に端部層全体と接触しており、前記凍結液体内容物及び容器が、凍結液体内容物を含まない前記容器内の空隙領域を画定する準備することと、
前記凍結液体内容物を収容する前記容器をディスペンサのチャンバ内に配置することと、
第１の針で前記容器の前記端部層を穿孔することと、
前記凍結液体内容物を前記端部層から移動させ、前記凍結液体内容物を前記空隙領域内に移すことと、
前記ディスペンサに前記容器内の前記凍結液体内容物を融解させて、融解液体生成物を生成させることと、
前記容器から前記融解液体生成物をとらえること、
というステップを含む、前記方法。
（項目３２）
前記端部層の前記穿孔とは異なる少なくとも１つの位置で前記容器を穿孔することをさらに含む、項目３１に記載の方法。
（項目３３）
前記容器がフィルタレスである、項目３１に記載の方法。
（項目３４）
前記容器が、側壁及び穿孔可能な閉鎖部をさらに備え、前記側壁は、前記容器の第１の端部で前記端部層から前記容器の第２の端部まで延在し、前記側壁及び前記端部層は、前記容器の空洞を画定し、前記容器の前記第２の端部は、開口部を画定し、前記穿孔可能な閉鎖部が前記開口部の上に形成され、前記側壁、前記端部層及び前記穿孔可能な閉鎖部は単一のチャンバを画定する、項目３１に記載の方法。
（項目３５）
前記ディスペンサに前記凍結液体内容物を融解させることは、
前記ディスペンサに、前記端部層の前記穿孔とは異なる第２の位置で第２の針で前記容器を穿孔させることと、
前記ディスペンサに、前記凍結液体内容物の凍結温度を超える液体を前記第２の針のチャネルを介して前記容器に注入させて、前記容器内の前記凍結内容物を融解し希釈させることと
を含む、項目３１に記載の方法。
（項目３６）
前記凍結液体内容物を前記ディスペンサに融解させることは、前記ディスペンサが前記凍結液体内容物を、（ａ）前記容器の外面に熱を加えること、（ｂ）前記容器の内部空間に希釈液を加えることの少なくとも１つを経て融解するプロセスを開始することを含む、項目３１に記載の方法。
（項目３７）
前記ディスペンサが前記容器に熱を供給することは、前記容器をヒータに接触させて配置することを含む、項目３６に記載の方法。
（項目３８）
前記ディスペンサが前記容器に熱を供給することが、前記ディスペンサが前記容器を熱源で照射することを含む、項目３６に記載の方法。
（項目３９）
前記ディスペンサが前記容器に熱を供給することが、前記凍結液体内容物を熱源で照射することを含む、項目３６に記載の方法。
（項目４０）
前記ディスペンサが前記容器に熱を供給することが、前記容器の外面に対して加熱されたガス及び蒸気の少なくとも１つが前記ディスペンサに当たることを含む、項目３６に記載の方法。
（項目４１）
前記容器を準備することは、前記容器が前記容器の前記凍結液体内容物の特徴を識別する情報を有することを含む、項目３６に記載の方法。
（項目４２）
前記凍結液体内容物の特徴を識別する前記情報が、前記容器の外面上の光学コードを含む、項目４１に記載の方法。
（項目４３）
前記凍結液体内容物の特徴を識別する前記情報が、前記容器に含まれる無線周波数識別（ＲＦＩＤ）タグを含む、項目４１に記載の方法。
（項目４４）
前記凍結液体内容物の特徴を識別する前記情報が、特定の形状を有する前記容器を含む、項目４１に記載の方法。
（項目４５）
前記融解液体生成物用の所望の温度設定点を提供することと、
前記融解液体生成物用の所望の分配量を提供することと、
前記ディスペンサに前記容器の外面に選択的に熱を加えさせ、前記識別された特徴、前記融解液体生成物用の前記所望の温度設定点、及び前記所望の分配量に基づいて前記容器の内部に前記希釈液を選択的に加えさせることと
をさらに含む、項目４１に記載の方法。
（項目４６）
前記凍結液体内容物の前記特徴が希釈閾値を含む、項目４５に記載の方法。
（項目４７）
前記凍結液体内容物の前記特徴が温度閾値を含む、項目４５に記載の方法。
（項目４８）
前記ディスペンサに前記凍結液体内容物を融解させることは、前記ディスペンサが前記容器に運動を適用して前記凍結液体内容物の融解速度を加速するプロセスを開始することを含む、項目３１に記載の方法。
（項目４９）
前記運動が回転である、項目４８に記載の方法。
（項目５０）
前記運動が往復または振動である、項目４８に記載の方法。
（項目５１）
凍結液体内容物を収容する容器から融解液体生成物を作り出す方法であって、
ディスペンサのチャンバで凍結液体内容物を収容する容器を受け入れることであって、前記容器が前記容器の端部に配置された端部層を有し、前記凍結液体内容物が前記容器の実質的に端部層全体と接触し、前記凍結液体内容物及び容器が凍結液体内容物を含まない前記容器内の空隙領域を画定する前記受け入れることと、
前記ディスペンサが第１の針で前記容器の前記端部層を穿孔することと、
前記凍結液体内容物を前記端部層から移動させ、前記凍結液体内容物を前記空隙領域内に移すことと、
前記ディスペンサが、前記容器内の前記凍結液体内容物を融解して融解液体生成物を作り出すことと、
前記ディスペンサが、前記融解液体生成物を前記容器から分配すること
というステップを含む、前記方法。
（項目５２）
前記凍結液体内容物を前記端部層から前記移動させ、前記凍結液体内容物を前記空隙領域内に移すことは、前記ディスペンサが前記第１の針で前記容器の前記端部層を穿孔することにより生じる、項目５１に記載の方法。
（項目５３）
前記融解液体生成物を前記分配することは、前記融解液体生成物を前記第１の針のチャネルを通して流すことを含む、項目５１に記載の方法。
（項目５４）
前記融解液体生成物を前記分配することは、前記ディスペンサが前記第１の針を退かせることによって前記融解液体生成物が前記端部層の前記穿孔を通って流れることを可能にすることを含む、項目５１に記載の方法。
（項目５５）
前記凍結液体内容物は、前記融解液体生成物を前記分配する前に完全に融解される、項目５１に記載の方法。
（項目５６）
前記凍結液体内容物を前記融解することは、前記端部層を穿孔した後に前記第１の針を加熱することを含む、項目５１に記載の方法。
（項目５７）
前記ディスペンサが、前記端部層の前記穿孔とは異なる少なくとも１つの位置で前記容器を穿孔することをさらに備える、項目５１に記載の方法。
（項目５８）
前記容器がフィルタレスである、項目５１に記載の方法。
（項目５９）
前記凍結液体内容物を前記融解することが、
前記ディスペンサが、前記端部層の前記穿孔とは異なる第２の位置で第２の針で前記容器を穿孔すること、及び
前記ディスペンサが前記第２の針を加熱することを含む、項目５１に記載の方法。
（項目６０）
前記第１の針で前記容器の前記端部層を穿孔することは、前記第２の針を前記加熱した後に行われる、項目５９に記載の方法。
（項目６１）
前記凍結液体内容物を前記融解することは、
前記ディスペンサが、前記端部層の前記穿孔とは異なる第２の位置で第２の針で前記容器を穿孔すること、及び
前記ディスペンサが、前記凍結液体内容物の前記凍結温度を超える液体を前記第２の針のチャネルを介して前記容器に注入して、前記容器内の前記凍結内容物を融解し希釈すること
を含む、項目５１に記載の方法。
（項目６２）
前記融解液体生成物を分配することは、前記融解液体生成物を前記第１の針のチャネルを通して流すことを含む、項目６１に記載の方法。
（項目６３）
前記ディスペンサが前記凍結液体内容物を融解することが、前記凍結液体内容物を電子的な周波数エネルギーで照射することを含む、項目５１に記載の方法。
（項目６４）
前記ディスペンサが前記凍結液体内容物を融解させることは、（ａ）前記容器の外面に熱を加えること、及び（ｂ）前記容器の内部空間に希釈液を加えることの少なくとも１つを経て前記ディスペンサが前記凍結液体内容物を融解することを含む、項目５１に記載の方法。
（項目６５）
前記ディスペンサが前記容器に熱を供給することが、前記容器をヒータに接触させて配置することを含む、項目６４に記載の方法。
（項目６６）
前記ディスペンサが前記容器に熱を供給することが、前記ディスペンサが前記容器を熱源で照射することを含む、項目６４に記載の方法。
（項目６７）
前記ディスペンサが前記容器に熱を供給することが、前記容器の外面に対して加熱されたガス及び蒸気の少なくとも１つが前記ディスペンサに当たることを含む、項目６４に記載の方法。
（項目６８）
前記ディスペンサが前記容器の前記凍結液体内容物の前記特徴を前記識別することをさらに備える、項目６４に記載の方法。
（項目６９）
前記ディスペンサが前記容器の前記凍結液体内容物の前記特徴を前記識別することが、前記ディスペンサが前記容器の前記外面上の光学コードを読み取ることを含む、項目６８に記載の方法。
（項目７０）
前記ディスペンサが前記容器の前記凍結液体内容物の前記特徴を前記識別することが、前記ディスペンサが前記容器に含まれる無線周波数識別（ＲＦＩＤ）タグを読み取ることを含む、項目６８に記載の方法。
（項目７１）
前記ディスペンサが前記容器の前記凍結液体内容物の前記特徴を前記識別することが、前記ディスペンサが前記容器の形状を読み取ることを含む、項目６８に記載の方法。
（項目７２）
前記ディスペンサが、前記融解液体生成物用の所望の温度設定点を受け取ること、
前記ディスペンサが、前記融解液体生成物用の所望の分配量を受け取ること、及び
前記ディスペンサが、前記容器の外面に選択的に熱を加え、前記識別された特徴、前記融解液体生成物用の前記所望の温度設定点、及び前記所望の分配量に基づいて前記容器の内部に前記希釈液を選択的に加えさせること
をさらに含む項目６８に記載の方法。
（項目７３）
前記凍結液体内容物の前記特徴が、希釈閾値を含む、項目７２に記載の方法。
（項目７４）
前記ディスペンサが前記希釈液を前記容器の内部に選択的に前記加えさせることが、前記希釈閾値にさらに基づいている、項目７３に記載の方法。
（項目７５）
前記凍結液体内容物の前記特徴が温度閾値を含む、項目７２に記載の方法。
（項目７６）
前記ディスペンサが前記容器の前記外面に選択的に熱を加えることが、前記温度閾値にさらに基づいている、項目７５に記載の方法。
（項目７７）
前記ディスペンサが前記容器の内部に前記希釈液を選択的に加えさせることが、前記温度閾値にさらに基づく、項目７５に記載の方法。
（項目７８）
前記ディスペンサが、前記所望の温度設定値、前記所望の分配量、及び前記温度閾値の少なくとも１つに基づいて前記容器の内部に添加された前記希釈液の温度を調整することをさらに備える、項目７５に記載の方法。
（項目７９）
前記凍結液体内容物を前記融解することが、前記凍結液体内容物の融解速度を加速させるために前記ディスペンサが前記容器に運動を適用することを含む、項目５１に記載の方法。
（項目８０）
前記運動が回転である、項目７９に記載の方法。
（項目８１）
前記運動が往復または振動である、項目７９に記載の方法。
（項目８２）
容器であって、
前記容器の第１の端部から前記容器の第２の端部まで寸法が増大するテーパ部分を含む側壁と、
前記容器の前記第１の端部に配置された端部層であって、開口部を有さないシートによって画定され、前記容器の空洞を前記側壁と画定し、前記容器の前記第２の端部が、開口部を画定する前記端部層と、
前記容器の前記空洞内に配置された固体凍結液体内容物と、
前記容器を封止する前記容器の前記開口部上に形成された穿孔可能な閉鎖部と
を含む前記容器であり、それにおいて、
前記固体凍結液体内容物、前記側壁の少なくとも一部、及び前記穿孔可能な閉鎖部の少なくとも一部が、固体凍結液体内容物を欠いている前記容器の空の空間を画定し、
前記容器が、分配装置へ挿入するように構成され、
前記容器の前記端部層が、前記分配装置内に配置された針によって穿孔可能であり、
前記固体凍結液体内容物が、前記空洞内の第１の位置及び第２の位置を有し、前記第１の位置では、前記固体凍結液体内容物が、前記容器の前記端部層に近接し、前記第２の位置では、前記固体凍結液体内容物が前記容器の前記端部層から離れて前記空の空間に移動され、さらに前記第２の位置では前記空の空間の少なくとも一部が前記固体凍結液体内容物によって占められていないままである、
前記容器。
（項目８３）
前記固体凍結液体内容物が前記第１の位置にあるときに、前記固体凍結液体内容物、前記側壁の一部分、及び前記穿孔可能な閉鎖部の一部分によって画定される前記空いた空間は、前記側壁、端部層、及び穿孔可能な閉鎖部によって画定される総体積の約半分以上である、項目８２に記載の容器。
（項目８４）
前記固体凍結液体内容物が、約０°Ｆ〜約３２°Ｆの温度で十分に硬質であり、前記分配装置の前記針によって加えられた力が、前記固体凍結液体内容物を前記第１の位置から前記第２の位置に移動する、項目８２に記載の容器。
（項目８５）
前記固体凍結液体内容物と前記端部層との間に配置されたプラットホームをさらに備え、前記端部層が前記針によって穿孔されたときに前記プラットホームが前記分配装置の前記針と接触するように構成される、項目８２に記載の容器。
（項目８６）
前記端部層は、前記プラットホームの形状に相補的な凹部を含み、前記プラットホームは前記凹部内に配置される、項目８５に記載の容器。
（項目８７）
前記プラットホームが実質的に平坦なディスクである、項目８５に記載の容器。
（項目８８）
前記プラットホームは、前記端部層に対して凹状または凸状の少なくとも１つである、項目８５に記載の容器。
（項目８９）
前記プラットホームが波状である、項目８５に記載の容器。
（項目９０）
前記プラットホームがオーバーフローチューブを備え、前記オーバーフローチューブが、前記プラットホームの第１の側面から前記チャネルを介して前記プラットホームの第２の側面に流れが通ることを可能にする少なくとも１つのチャネルを有する、項目８５に記載の容器。
（項目９１）
前記側壁の前記テーパ部分は、連続したテーパを含む、項目８２に記載の容器。
（項目９２）
前記側壁の前記テーパ部分は、第１のテーパ部分及び第２のテーパ部分を含み、前記第１のテーパ部分は、前記第２のテーパ部分よりも大きな程度のテーパを有し、前記第１のテーパ部分は、前記端部層に近接し、前記第２のテーパ部分は前記端部層に対して遠位にある、項目８２に記載の容器。
（項目９３）
前記固体凍結液体内容物の高さが、前記第１のテーパ部分と前記第２のテーパ部分との間の遷移点より下方である、項目９２に記載の容器。
（項目９４）
前記固体凍結液体内容物が、約０°Ｆ〜約３２°Ｆの温度で十分に硬質であり、前記分配装置の前記針によって加えられる力が、前記固体凍結液体内容物を前記第１の位置から前記第２の位置に移動する、項目９２に記載の容器。
（項目９５）
前記固体凍結液体内容物と前記端部層との間に配置されたプラットホームをさらに備え、前記プラットホームが、前記端部層が前記針によって穿孔されたときに前記分配装置の前記針と接触するように構成される、項目９２に記載の容器。
（項目９６）
前記端部層が、前記プラットホームの形状に相補的な凹部を含み、前記プラットホームが前記凹部内に配置される、項目９５に記載の容器。
（項目９７）
前記プラットホームが実質的に平坦なディスクである、項目９６に記載の容器。
（項目９８）
前記プラットホームが、前記端部層に対して凹状または凸状の少なくとも１つである、項目９６に記載の容器。
（項目９９）
前記プラットホームが波状である、項目９６に記載の容器。
（項目１００）
前記プラットホームがオーバーフローチューブを備え、前記オーバーフローチューブは、前記プラットホームの第１の側面から前記チャネルを介して前記プラットホームの第２の側面に流れることを可能にする少なくとも１つのチャネルを有する、項目９６に記載の容器。